(57)【要約】【課題】ＰＤＰの維持放電に伴うプラズマディスプレイ用電源装置の電流のパルス状の増減変動に起因して発生する唸り音を根本的に低減する。【解決手段】給電ラインαを通って維持放電駆動部９に常給電される直流電源ＤＣｖｓの電流を電流センサ１４により検出し、電流センサ１４の検出電流が設定した少電流以下になるときに、直流電源ＤＣｖｓをＤＣ−ＤＣコンバータ部２の昇圧コンバータ部で昇圧し、その昇圧電源をエネルギ蓄積用のコンデンサ１３を介してＤＣ−ＤＣコンバータ部２の降圧コンバータ部に供給し、降圧コンバータ部の安定な降圧出力をＰＤＰ８の表示駆動に関連する他の回路部に給電し、直流電源ＤＣｖｓの電流のパルス状の増減変動を抑制する。【選択図】図１
2008052183.tif 000002
【特許請求の範囲】
【請求項１】
直流電源を断続してプラズマディスプレイパネルの維持放電電極に維持放電用の高電圧パルスを印加する維持放電駆動部に前記直流電源を常給電するプラズマディスプレイ用電源装置において、前記直流電源の給電ラインの電流を検出する電流検出手段と、該電流検出手段の検出電流が設定した少電流以下になるときに前記直流電源をスイッチング動作によって昇圧し、前記高電圧パルスの電圧以上の電圧の昇圧電源を発生して出力する昇圧コンバータ部と、該昇圧コンバータ部の出力により充電されるエネルギ蓄積用のコンデンサと、前記コンデンサの放電によって電圧低下が抑制された前記昇圧電源をスイッチング動作によって降圧し、前記プラズマディスプレイパネルの表示駆動に関連する他の回路部に給電する降圧コンバータ部とを備えたことを特徴とするプラズマディスプレイ用電源装置。
【請求項２】
前記他の回路部は、前記維持放電用の高電圧パルスの印加に先立って前記プラズマディスプレイパネルのアドレス電極にアドレスパルスを印加するアドレス駆動部であること特徴とする請求項１に記載のプラズマディスプレイ用電源装置。
【請求項３】
内蔵の電源装置からプラズマディスプレイパネルの維持放電駆動部に直流電源を常給電し、前記維持放電駆動部により前記直流電源を断続して前記プラズマディスプレイパネルの維持放電電極に維持放電用の高電圧パルスを印加するプラズマディスプレイ装置において、前記電源装置が、請求項１又は２に記載のプラズマディスプレイ用電源装置により形成されることを特徴とするプラズマディスプレイ装置。
【発明の詳細な説明】
【技術分野】
【０００１】
本発明は、ＡＣ型面発光のプラズマディスプレイパネルの維持放電電極（Ｘ、Ｙ電極）に維持放電用の高電圧パルスを印加する維持放電駆動部に、前記高電圧パルスの印加に必要な直流電源を給電するプラズマディスプレイ用電源装置及び該電源装置を備えたプラズマディスプレイ装置に関し、詳しくは前記直流電源の電流変動に伴う唸りの改善に関する。
【背景技術】
【０００２】
従来、プラズマＴＶに代表されるプラズマディスプレイ装置は、放電による発光を利用した自発光型の平面ディスプレイであるＡＣ型面発光のプラズマディスプレイパネル（以下、ＰＤＰという）を備える。
【０００３】
該ＰＤＰは、多数の維持放電電極（Ｘ、Ｙ電極）及びアドレス電極を有し、Ｒ、Ｇ、Ｂの各３原色のセルによってマトリックス配列の各１画素が構成される。
【０００４】
更に、ＰＤＰはインタレース走査の場合、１フィールドを発光期間が異なるの複数サブフィールドに分割して表示を行う。各サブフィールドは、初期化期間、アドレス期間、サステイン期間（発光期間）からなる。尚、ノンインタレース走査の場合は、上述のフィールドがフレームに置き換わる。
【０００５】
そして、初期化期間にはＸ電極の書き込みパルス（電圧ＶＷ）の印加とＹ電極の消去パルス（電圧ＶＥ）の印加とによって各セルの帯電状態（壁電荷）が初期化され、アドレス期間には表示するセルのアドレス電極にアドレスパルス（又はデータパルス）と呼ばれるアドレス電圧のパルス（電圧ＶＡ）が印加されて書き込み放電が行われ、その後、サステイン期間にＸ、Ｙ電極に交互に維持放電パルス（サステインパルス：電圧ＶＳ）が印加されて維持放電が行われ、このくり返しによって画像が表示される。
【０００６】
ところで、前記維持放電パルスは２００Ｖ前後の所定の高電圧のパルスであり、その電流も大きい。
【０００７】
この大容量・高電圧の維持放電パルスを形成するため、この種のプラズマディスプレイ装置は、ＡＣ−ＤＣコンバータ構成の専用のプラズマディスプレイ用直流電源装置を内蔵し、該直流電源装置により、１００Ｖの商用交流電源を例えば周知のフライバック方式の昇圧コンバータ動作で昇圧して前記所定の高電圧（例えば１９０Ｖ）の直流電源を形成し、該直流電源を維持放電駆動部（走査表示駆動部）に常給電する。
【０００８】
そして、前記維持放電駆動部は、上述のサステイン期間にＸ、Ｙ電極に前記直流電源を断続して形成した維持放電用の高電圧パルスを交互に印加する。
【０００９】
一方、アドレスパルスは６０Ｖ前後の低電圧であり、通常、前記専用のプラズマディスプレイ用直流電源装置とは別個の安定化電源装置によって形成した前記６０Ｖ前後の低電圧電源をアドレス駆動部に給電し、該アドレス駆動部により前記低電圧電源を断続して形成する。
【００１０】
上記構成のプラズマディスプレイ装置においては、ＰＤＰを前記維持放電パルスの印加によって各セルをそれぞれのサステイン期間に順次に放電発光させる構成であり、この放電発光によって前記直流電源の電源電流が激しくパルス状に増減変動し、そのため、その影響を受けて電源トランス等から耳障りな唸り音が発生する。
【００１１】
そこで、フライバックのスイッチングに基づく前記電源トランスのリセットのタイミングを、前記スイッチングを制御する制御回路のトランスリセット端子の入力抵抗をその通電電流の極性によって可変して調整し、電流の入出力でスイチッグ動作のデユーティが同じになるように調整して前記唸り音を低減することが提案されている（例えば、特許文献１参照。）。
【特許文献１】特開平７−１９１６２３号公報（要約書、段落［００３１］−［００３９］、図１、図３等）
【発明の開示】
【発明が解決しようとする課題】
【００１２】
前記特許文献１等に記載のように電源トランスリセットのタイミングを電流の極性によって変えて調整しても、ＰＤＰの維持放電の電流がパルス状に流れることに変わりはないので、この種プラズマディスプレイ装置の前記電源トランスを含むプラズマディスプレイ用電源装置からＰＤＰの放電維持駆動部に給電される直流電源の電流（電源電流）は激しくパルス状に増減変動し、前記プラズマディスプレイ用潮流電源装置の唸り音を根本的には抑えることができない問題があり、その結果、この種のプラズマディスプレイ装置の静音特性を十分に向上することができない。
【００１３】
本発明は、ＰＤＰの維持放電に伴うプラズマディスプレイ用電源装置の電流のパルス状の増減変動に起因して発生する唸り音を根本的に低減し、プラズマディスプレイ装置の静音特性を飛躍的に向上することを目的とする。
【課題を解決するための手段】
【００１４】
上記の目的を達成するために、本発明のプラズマディスプレイ用電源装置は、直流電源を断続してＰＤＰの維持放電電極（Ｘ、Ｙ電極）に維持放電用の高電圧パルス（電圧ＶＳ）を印加する維持放電駆動部に前記直流電源を常給電するプラズマディスプレイ用電源装置において、前記直流電源の給電ラインの電流を検出する電流検出手段と、該電流検出手段の検出電流が設定した少電流以下になるときに前記直流電源をスイッチング動作によって昇圧し、前記高電圧パルスの電圧以上の電圧の昇圧電源を発生して出力する昇圧コンバータ部と、該昇圧コンバータ部の出力により充電されるエネルギ蓄積用のコンデンサと、前記コンデンサの放電によって電圧低下が抑制された前記昇圧電源をスイッチング動作によって降圧し、前記ＰＤＰの表示駆動に関連する他の回路部に給電する降圧コンバータ部とを備えたことを特徴としている（請求項１）。この場合、前記他の回路部は、前記維持放電用の高電圧パルスの印加に先立って前記ＰＤＰのアドレス電極にアドレスパルス（電圧ＶＡ）を印加するアドレス駆動部であることが効果的で好ましい（請求項２）。
【００１５】
又、本発明のプラズマディスプレイ装置は、内蔵の電源装置からＰＤＰの維持放電駆動部に直流電源を常給電し、前記維持放電駆動部により前記直流電源を断続して前記ＰＤＰの維持放電電極に維持放電用の高電圧パルスを印加するプラズマディスプレイ装置において、前記電源装置が、請求項１又は２に記載のプラズマディスプレイ用電源装置により形成されることを特徴としている（請求項３）。
【発明の効果】
【００１６】
請求項１の発明によれば、ＰＤＰの維持放電に伴ってプラズマディスプレイ用電源装置から維持放電駆動部に常給電される直流電源の電流が減少し、電流検出手段の検出電流が設定した少電流以下になる電流減少期間に、昇圧コンバータ部が動作して前記直流電源を昇圧した昇圧電源を発生し、この昇圧電源がエネルギ蓄積用のコンデンサを充電する。更に、前記コンデンサによって電圧低下が抑制された前記昇圧電源を降圧コンバータ部によって降圧し、この降圧によって形成された低電圧電源を前記プラズマディスプレイパネルの表示駆動に関連する他の回路部に給電する。
【００１７】
そのため、前記電流減少期間にプラズマディスプレイ用電源装置の出力を他の回路部への給電に振り分け、プラズマディスプレイ用電源装置の出力電流（電源電流）の減少を抑制してその増減変動を低減することができ、ＰＤＰの維持放電に伴うプラズマディスプレイ用電源装置の電流のパルス状の増減変動に起因して発生する唸り音を根本的に低減することができる。その結果、プラズマディスプレイ装置の静音特性を飛躍的に向上することができる。
【００１８】
又、請求項２の発明によれば、前記電流減少期間のプラズマディスプレイ用電源装置の出力を、その期間にアドレス電極にアドレスパルスを印加するアドレス駆動部に給電することで、プラズマディスプレイ用電源装置の余剰の出力を極めて有効に利用して請求項１の発明の効果を奏することができる。
【００１９】
更に、請求項３の発明によれば、請求項１又は２の構成のプラズマディスプレイ用電源装置を備えることにより、ＰＤＰの維持放電に伴う内蔵の電源装置の電流のパルス状の増減変動に起因して発生する唸り音を根本的に低減し、静音特性が飛躍的に向上した新規なプラズマディスプレイ装置を提供することができる。
【発明を実施するための最良の形態】
【００２０】
次に、本発明をより詳細に説明するため、その一実施形態について、図１〜図４にしたがって詳述する。
【００２１】
図１は本発明が適用されるプラズマディスプレイ装置の要部のブロック図、図２は図１の内蔵の電源装置であるプラズマディスプレイ用電源装置１のＤＣ−ＤＣコンバータ部２の詳細なブロック図である。図３はＤＣ−ＤＣコンバータ部２の昇圧コンバータ部３の結線図、図４は昇圧コンバータ部３の後段の降圧コンバータ部４の結線図である。
【００２２】
そして、図１に示すように、ＡＣプラグ５の１００Ｖの商用電源が力率改善回路等を含むフィルタ部６を介してプラズマディスプレイ用電源装置１のＡＣ−ＤＣコンバータ部７に入力される。
【００２３】
ＡＣ−ＤＣコンバータ部７は従来電源装置と同じ構成であり、例えば周知のフライバック方式の昇圧コンバータ動作で電源トランス７ａの１次コイルに直列に接続されたスイッチング素子としての電力用ＦＥＴ７ｂを高周波スイッチングし、周知のフライバック方式の昇圧コンバータ動作で電源トランス７ａの２次側コイルＬ２に昇圧された高周波出力を発生する。
【００２４】
更に、前記高周波出力をダイオード７ｃ、コンデンサ７ｄによって整流、平滑し、所定の高電圧である例えば１９０Ｖの直流電源ＤＣｖｓを形成し、該直流電源ＤＣｖｓをＰＤＰ８の維持放電駆動部９に常給電する。
【００２５】
そして、維持放電駆動部９は、周知の維持放電駆動部と同様の構成であり、ＰＤＰ８のＸ電極ｘ１、ｘ２、…、ｘｎを走査するＸドライバ９ｘ及びＰＤＰ８のＹ電極ｙ１、ｙ２、…、ｙｎを走査するＹドライバ９ｙを有する。
【００２６】
両ドライバ９ｘ、９ｙは、このプラズマディスプレイ装置の映像処理部１０の水平、垂直の同期信号等に基づく駆動制御部１１の維持放電制御により、上述の各サブフィールドのサステイン期間に、Ｘ電極ｘ１〜ｘｎ、Ｙ電極ｙ１〜ｙｎそれぞれを順に走査し、直流電源ＤＣｖｓを断続して形成した維持放電用の高電圧パルス（電圧ＶＳ）を交互に印加する。
【００２７】
そして、各サブフィールドのサステイン期間にのみ維持放電用の高電圧パルスをＸ電極ｘ１〜ｘｎ、Ｙ電極ｙ１〜ｙｎに印加して通電するので、従来は、上述したように直流電源ＤＣｖｓの電流が激しくパルス状に増減変動し、電源トランス７ａ等の唸り音が発生していた。
【００２８】
そこで、本実施形態では、ＡＣ−ＤＣコンバータ部７の出力側に直流電源ＤＣｖｓが給電されるＤＣ−ＤＣコンバータ部２を設ける。
【００２９】
そして、従来はプラズマディスプレイ用直流電源装置１とは別個の安定化電源装置から給電していたアドレス駆動部１２に、ＤＣ−ＤＣコンバータ部２から出力された例えば６０Ｖの低電圧電源ＤＣｖａを給電し、各サブフィールドのサステイン期間に先立つアドレス期間に、駆動制御部１１の書き込み放電制御により、アドレス駆動部１２により低電圧電源ＤＣｖａを断続してＰＤＰ８の各アドレス電極ａ１、ａ２、…、ａｍに順次に前記６０Ｖのアドレスパルスを印加する。
【００３０】
具体的には、図２に示すように、ＤＣ−ＤＣコンバータ部２を前段の昇圧コンバータ部３と、昇圧コンバータ部３の出力により充電されるエネルギ蓄積用のコンデンサと、昇圧コンバータ部３の後段の降圧コンバータ部４とによって形成する。又、ＡＣ−ＤＣコンバータ部７から維持放電駆動部９に給電される直流電源ＤＣｖｓの給電ラインαの電流を、電流検出手段としての電流センサ１４によって監視・検出し、電流センサ１４の検出電流が設定した少電流以下になるときに昇圧コンバータ３を作動する。
【００３１】
ところで、昇圧コンバータ部３は例えば図３に示すように構成され、電流センサ１４の検出電流が前記少電流以下になり、維持放電駆動部９に流れる電流が少なくなるサステイン期間外（維持放電の期間外）の電流減少期間にのみ、制御部３ａが作動許可状態になる。
【００３２】
そして、制御部３ａのフィードバック（ＦＢ）制御によりスイッチング素子であるＦＥＴ３ｂを出力電圧の変動に応じて周波数を可変しながら高周波数でスイッチングし、このスイッチングに基づくコンデンサ３ｃ、昇圧用のコイル３ｄの充放電により、１９０Ｖの直流電源ＤＣｖｓを１９０Ｖ〜４００Ｖの適当な設定電圧に昇圧し、整流用のダイオード３ｅから昇圧電源ＤＣｈを出力する。
【００３３】
更に、昇圧電源ＤＣｈをコンデンサ１３で平滑すると共に、昇圧電源ＤＣｈによるコンデンサ１３の充電により、直流電源ＤＣｖｓが低下変動したときの昇圧電源ＤＣｈの変動を防止する。
【００３４】
そして、昇圧コンバータ部３は直流電源ＤＣｖｓを昇圧することで、低電圧電源ＤＣｖａに対する直流電源ＤＣｖｓの変動の影響を少なくする。
【００３５】
次に、降圧コンバータ４は例えば図４に示すように構成され低電圧電源ＤＣｖａの電圧（６０Ｖ）に基づく制御部４ａのフィードバック制御でスイッチング素子である直列挿入のＦＥＴ４ｂを低周波数でスイッチングして、昇圧電源ＤＣｈを低電圧電源ＤＣｖａに降圧し、その降圧出力をダイオード４ｃを介してリアクトル４ｄ、コンデンサ４ｅで平滑し、安定な低電圧電源ＤＣｖａを形成する。
【００３６】
そして、各サブフィールドのサステイン期間外のアドレス期間に、低電圧電源ＤＣｖａによってアドレス駆動部１２を給電駆動することにより、ＡＣ−ＤＣコンバータ部７の直流電源ＤＣｖｓの出力電流のパルス状の増減変動を緩和して抑制することができ、ＰＤＰ８の維持放電に伴うプラズマディスプレイ用電源装置１の電流のパルス状の増減変動に起因して発生する唸り音を根本的に低減し、プラズマディスプレイ装置の静音特性を飛躍的に向上することができる。
【００３７】
そして、本発明は上記した実施形態に限定されるものではなく、その趣旨を逸脱しない範囲において上述したもの以外に種々の変形実施を行なうことが可能であり、例えば、前記実施形態においてはＰＤＰ８の表示駆動に関連する他の回路部をアドレス駆動部１２として高い効果を奏するようにしたが、他の回路部はアドレス駆動部に限られるものではなく、プラズマディスプレイ装置内のＰＤＰ８の表示駆動に関連し直流電源ＤＣｖｓより低い直流電源で動作する種々の回路部であってよいのは勿論である。
【００３８】
又、前記他の回路部は、複数個であってもよく、維持放電が行なわれるサステイン期間にも動作する回路部であってもよい。更に、前記他の回路部は、降圧コンバータ部４の出力が不足するときには他の安定化電源回路部の出力が補助給電される構成等であってもよい。
【００３９】
次に、各コンバータ部３、４、７の構成はどのようであってもよく、直流電源ＤＣｖｓ、低電圧電源ＤＣｖａ等の電圧は、ＰＤＰ８の特性等に応じて設定すればよく、前記実施形態の電圧に限られるものではない。
【００４０】
そして、本発明は、ＡＣ型面発光のＰＤＰを使用したプラズマＴＶ等の種々のプラズマディスプレイ装置のプラズマディスプレイ用電源装置及びその電源装置を備えたプラズマディスプレイ装置に適用することができる。
【図面の簡単な説明】
【００４１】
【図１】本発明の一実施形態のプラズマディスプレイ装置の要部のブロック図である。
【図２】同上、プラズマディスプレイ装置に内蔵されたプラズマディスプレイ用電源装置のＤＣ−ＤＣコンバータ部２の詳細なブロック図である。
【図３】同上、プラズマディスプレイ装置におけるＤＣ−ＤＣコンバータ部３の昇圧コンバータ部の結線図である。
【図４】同上、プラズマディスプレイ装置におけるＤＣ−ＤＣコンバータ部４の降圧コンバータ部の結線図である。
【符号の説明】
【００４２】
１    プラズマディスプレイ用電源装置
３    昇圧コンバータ部
４    降圧コンバータ部
８    プラズマディスプレイパネル（ＰＤＰ）
９    維持放電駆動部
１２    アドレス駆動部
１３    エネルギ蓄積用のコンデンサ
１４    電流センサ
ＤＣｖｓ    直流電源
ＤＣｈ    昇圧電源
α    給電ライン
【図１】
2008052183.tif 000003
【図２】
2008052183.tif 000004
【図３】
2008052183.tif 000005
【図４】
2008052183.tif 000006